(57)【特許請求の範囲】
【請求項１】
足の甲を覆うアッパー部を有する履物であって、
前記アッパー部は、爪先側の側部に開口部を有するものであり、
前記開口部を覆い、該開口部に位置する足の部位への接触圧を調整可能な覆い部材を備え、
前記覆い部材は、前記接触圧を調整するにあたり左側又は右側になる先端部分の位置を任意の位置に変更可能なものであって、該先端部分の位置の変更後には該先端部分の位置が固定されるものであることを特徴とする履物。
【請求項２】
前記開口部は、母趾の中足趾節間関節の位置から該母趾の一部にかけて開口したものであり、
前記アッパー部は、前記母趾の爪部分全体を覆うものであることを特徴とする請求項１記載の履物。
【請求項３】
前記覆い部材は、前記部位に接触する箇所に、前記アッパー部を構成する全ての素材よりも伸縮性が高い素材で構成された伸縮部を有するものであることを特徴とする請求項１又は２記載の履物。
【請求項４】
前記覆い部材は、前記伸縮部とは該伸縮部の厚み方向外側に間隔をあけてクッション材が設けられたものであることを特徴とする請求項３記載の履物。
【請求項５】
前記覆い部材は、前記アッパー部とは別に取り外し可能なものであることを特徴とする請求項１から４のうちいずれか１項記載の履物。
【発明の詳細な説明】
【技術分野】
【０００１】
本発明は、足の甲を覆うアッパー部を有する履物に関する。
【背景技術】
【０００２】
母趾（第一趾）が小趾（第五趾）側に変形した外反母趾や、小趾が母趾側に変形した内反小趾といった足の疾患がある。６５歳以上の女性では３人に１人以上が外反母趾を発症しているといった報告もある。この外反母趾を例にあげれば、第１中足骨が内側に広がり、第１中足骨と母趾の骨が、くの字状に変形している。第１中足骨の骨頭部の部分は内側に飛び出している。内反小趾では、第５中足骨の骨頭部の部分が外側に飛び出している。内側に飛び出したり、外側に飛び出した患部は、靴に当たるなどの刺激を受け、皮下滑液包炎を生じ、赤く腫れ、痛みを伴う。
【０００３】
そこで、外反母趾や内反小趾を患った者のための履物として、足の甲を覆うアッパー部の、爪先側の側部に、開口部を設けた履物（例えば、特許文献１）や、患部をゴムシートで覆った履物（例えば、特許文献２）が提案されている。
【０００４】
特許文献１で提案された履物では、飛び出した患部が露出してしまい、冬場は寒く、またファッション性も大きく劣る。その点、特許文献２で提案された履物は、患部がゴムシートで常に覆われており、冬場であっても寒くなく、またゴムシートをベルト体で締め付けてファッション性を向上させている。
【先行技術文献】
【特許文献】
【０００５】
【特許文献１】特開２０１２−４０７号公報
【特許文献２】実用新案登録第３１７１２２０号公報
【発明の概要】
【発明が解決しようとする課題】
【０００６】
しかしながら、患部における皮下滑液包炎が重傷化した者は、その患部にゴムシートが当たっただけでも激しい痛みを覚え、ベルト体で締め付けることなど到底無理である。
【０００７】
本発明は上記事情に鑑み、皮下滑液包炎が重傷化した者でも履くことができる履物を提供することを目的とする。
【課題を解決するための手段】
【０００８】
上記目的を解決する履物は、
足の甲を覆うアッパー部を有する履物であって、
前記アッパー部は、爪先側の側部に開口部を有するものであり、
前記開口部を覆い、該開口部に位置する足の部位への接触圧を調整可能な覆い部材を備え、
前記覆い部材は、前記接触圧を調整するにあたり左側又は右側になる先端部分の位置を任意の位置に変更可能なものであって、該先端部分の位置の変更後には該先端部分の位置が固定されるものであることを特徴とする。
また、
前記開口部は、母趾の中足趾節間関節の位置から該母趾の一部にかけて開口したものであり、
前記アッパー部は、前記母趾の爪部分全体を覆うものであることを特徴としてもよい。
また、
前記覆い部材は、前記部位に接触する箇所に、前記アッパー部を構成する全ての素材よりも伸縮性が高い素材で構成された伸縮部を有するものであることを特徴としてもよい。
また、
前記覆い部材は、前記伸縮部とは該伸縮部の厚み方向外側に間隔をあけてクッション材が設けられたものであることを特徴としてもよい。
また、
前記覆い部材は、前記アッパー部とは別に取り外し可能なものであることを特徴としてもよい。
さらに、
足の甲を覆うアッパー部を有する履物であって、
前記アッパー部は、爪先側の側部に開口部を有するものであり、
前記開口部を覆い、該開口部に位置する足の部位への接触圧を調整可能な覆い部材を備えたことを特徴としてもよい。
【０００９】
この履物によれば、前記開口部を常に覆っている部材はなく、前記覆い部材が足の部位に直接接触する場合もあるが、前記接触圧を０にすることもできる。したがって、皮下滑液包炎が重傷化した者でも履くことができる。
【００１０】
なお、前記開口部は、内側（母趾側）にのみ設けられたものであってもよいし、外側（小趾側）にのみ設けられたものであってもよいし、内側と外側の両方に設けられたものであってもよい。また、前記開口部は、前記覆い部材によってのみ覆われるものである。
【００１１】
また、
前記覆い部材は、前記部位に接触する箇所が、前記アッパー部を構成する全ての素材よりも伸縮性が高い素材で構成されたものであることを特徴とすることが好ましい。
【００１２】
前記箇所がこのような伸縮性が高い素材で構成されていることで、前記部位に接触しても、痛みを大幅に低減することができる。
【００１３】
伸縮性が高い素材としては、例えば、スパンデックスを用いた織物や、エトラストマー樹脂を使用した不織布を用いることができる。
【００１４】
前記覆い部材は、前記部位に接触する箇所の周囲も前記アッパー部を構成する全ての素材よりも伸縮性が高い素材で構成されたものであってもよい。すなわち、前記覆い部材は、少なくとも、前記部位に接触する箇所が、前記アッパー部を構成する全ての素材よりも伸縮性が高い素材で構成されたものであればよい。
【００１５】
また、
前記開口部は、足趾の中足趾節間関節の位置から該足趾の一部にかけて開口したものであることを特徴としてもよい。
【００１６】
皮下滑液包炎が重傷化すると、足趾まで炎症が及ぶことがあり、大きな開口部であることが好ましい。一方で、大きな開口部であると、冬場に寒かったり、ファッション性に劣るが、前記覆い部材によって、前記足の部位に触れないように（前記接触圧は０）に前記開口部を覆えば、寒さを軽減することができ、ファッション性もある程度は担保することができる。また、前記箇所が伸縮性が高い素材であれば、前記部位に接触させることもでき、寒くもなく、ファッション性も向上させることができる。
【００１７】
なお、該足趾の一部とは、該足趾の付け根部であってもよい。また、該足趾の付け根部を超えて爪先側に開口していてもよい。すなわち、前記開口部は、足趾の中足趾節間関節の位置から少なくとも該足趾の付け根部にかけて開口したものであってもよい。
【００１８】
また、前記開口部は、足趾の中足趾節間関節の位置から該足趾の趾節間関節の位置まで開口したものであってもよい。
【００１９】
より具体的には、母趾の中足趾節間関節の位置から該母趾の一部（例えば、趾節間関節（他の趾でいう近位趾節間関節））にかけて開口したものであってもよく、小趾の中足趾節間関節の位置から該小趾の一部（例えば、遠位趾節間関節）にかけて開口したものであってもよい。
【００２０】
また、
前記覆い部材は、前記部位を覆う位置にクッション材が設けられたものであることを特徴としてもよい。
【００２１】
前記足の部位へ外から力が加わった場合（例えば、ぶつけた場合）でも、前記クッション材によって軽減することができる。
【００２２】
また、
前記覆い部材は、取り外し可能なものであることを特徴としてもよい。
【００２３】
前記覆い部材は前記接触圧を０にしたまま前記開口部を覆うこともできるが、該覆い部材が何かの拍子に患部に触れることを防止することが寒さやファッション性よりも重要である場合には、前記覆い部材を取り外してしまうことが最も確実である。
【００２４】
また、
前記覆い部材は、前記開口部を二重に覆うことが可能なものであることを特徴としてもよい。
【００２５】
二重に覆うことで、前記足の部位の保護にもなるし、寒さ対策にもなる。
【発明の効果】
【００２６】
本発明の履物であれば、皮下滑液包炎が重傷化した者でも履くことができる。
【図面の簡単な説明】
【００２７】
【図１】本発明の一実施形態である靴を示す斜視図である。
【図２】外反母趾を患った右足に図１に示す靴を履いた様子を示す平面図である。
【図３】一対の覆い部材の使い方を段階的に説明した図である。
【図４】内側窓部周辺を断面したときの様子を模式的に示す図である。
【図５】第２実施形態の靴を示す平面図である。
【図６】外反母趾を患った右足に、内側覆い部材と内側開口部を設け外側覆い部材と外側開口部を設けない態様の靴を履いた様子を示す平面図である。
【発明を実施するための形態】
【００２８】
以下、図面を参照して本発明の実施の形態を説明する。
【００２９】
図１は、本発明の一実施形態である靴を示す斜視図である。
【００３０】
図１に示す靴１は、右足用の靴であるが、左足用も同じ構成である。以下、右足用の靴１を例にあげて説明する。図１に示す靴１は、底部１１とアッパー部１２とヒール部１３と一対の覆い部材１４を有する。アッパー部１２及びヒール部１３は、合成皮革、天然皮革、加工皮革、天然繊維、および合成繊維のうちの１又は複数の素材からなるものである。合成皮革は、繊維にウレタンやナイロン等の樹脂をコーティングしたものである。天然皮革としては、牛革の他、馬革、豚革等があげられる。加工皮革としては、スエードや、革の表面にポリウレタン樹脂の塗装を施したエナメルレザー等があげられる。天然繊維としてはキャンバス素材があげられる。合成繊維としては、ナイロン、アクリル、ポリエステル等があげられる。
【００３１】
アッパー部１２には、爪先側の内側の側部に内側開口部１２１が設けられ、外側の側部には外側開口部１２２が設けられている。ここにいう内側とは母趾（第一趾）側のことであり、外側とは小趾（第五趾）側のことである（以下においても同じ。）。
【００３２】
一対の覆い部材１４は、内側覆い部材１４１と外側覆い部材１４２からなるものである。内側覆い部材１４１は、アッパー部１２側に被さることで内側開口部１２１を覆うものであり、内側開口部１２１を覆う箇所には、内側窓部１４１１が設けられている。外側覆い部材１４２は、アッパー部１２側に被さることで外側開口部１２２を覆うものであり、外側開口部１２２を覆う箇所には、外側窓部１４２１が設けられている。図１に示す内側覆い部材１４１も外側覆い部材１４２も、アッパー部１２側に被さっていない状態にあり、それぞれの裏面１４１ｂ，１４２ｂが示されている。内側窓部１４１１にしても外側窓部１４２１にしても、窓部内にはストレッチ素材１５０が設けられている。ストレッチ素材１５０については、詳しくは後述する。
【００３３】
また、内側覆い部材１４１の裏面１４１ｂには、面ファスナーを構成するフック面１４２２が、その裏面１４１ｂの、内側窓部１４１１を除いたほぼ全域にわたって設けられている。図１では、このフック面１４２２を薄い灰色で模式的に示している。また、内側覆い部材１４１のおもて面には、面ファスナーを構成するループ面がほぼ全域にわたって設けられている。外側覆い部材１４２の裏面１４２ｂにも、内側覆い部材１４１と同じように、フック面１４２２が、その裏面１４２ｂの、外側窓部１４２１を除いたほぼ全域にわたって設けられており、そのフック面１４２２が薄い灰色で模式的に示されている。また、外側覆い部材１４２のおもて面にも、ループ面がほぼ全域にわたって設けられている。なお、内側覆い部材１４１にしても外側覆い部材１４２にしても、裏面１４１ｂ，１４２ｂにループ面を設け、おもて面にフック面を設けてもよい。
【００３４】
内側開口部１２１も外側開口部１２２も、一対の覆い部材１４以外のものでは覆われない開口である。
【００３５】
図２は、外反母趾を患った右足に図１に示す靴を履いた様子を示す平面図である。この図２には、右足裏の骨格が模式的に示されている。なお、図２に示す内側覆い部材１４１も外側覆い部材１４２も、平らな状態に開かれており、それぞれの裏面１４１ｂ，１４２ｂが示され、内側開口部１２１も外側開口部１２２も開放した状態である。
【００３６】
外反母趾を患った右足ＲＦでは、第１中足骨ＭＢ１が内側に広がり、第１中足骨ＭＢ１と母趾ＦＴ１の骨がくの字状に変形し、第１中足骨ＭＢ１の骨頭部ＭＢ１ｔの部分が内側に飛び出し、靴に当たるなどの刺激を受け、皮下滑液包炎を生じ患部ＡＦＡとなって赤く腫れている。図２では、赤く腫れた患部ＡＦＡを黒色で示している。図２に示す患部ＡＦＡは、底部１１の内側の縁１１ｅを越えて内側に突出している。なお、図示はしないが、内反小趾を患った右足では、第５中足骨ＭＢ５が外側に広がり、第５中足骨ＭＢ５と小趾ＦＴ５の骨がくの字状に変形し、第５中足骨ＭＢ５の骨頭部ＭＢ５ｔの部分が外側に飛び出してしまう。
【００３７】
内側開口部１２１は、患部ＡＦＡを中心に開口するように設けられたものであり、この靴１のサイズに合う足の一般的な大きさを前提に、内側開口部１２１の爪先側の端部は、母趾ＦＴ１の位置まで延びている。すなわち、内側開口部１２１は、第１中足骨ＭＢ１の骨頭部ＭＢ１ｔの位置から母趾ＦＴ１の一部（付け根部分ＢＦ１）にかけて開口したものである。より具体的には、内側開口部１２１は、第１中足骨ＭＢ１の骨頭部ＭＢ１ｔの位置から母趾ＦＴ１の趾節間関節ＩＪ１の位置までの最短の距離をＤ１とした場合に、第１中足骨ＭＢ１の骨頭部ＭＢ１ｔの位置から距離Ｄ１以上離れた箇所まで開口するように設計されている（図２に示す一点鎖線の矢印と円弧を参照）。
【００３８】
外側開口部１２２も、第５中足骨ＭＢ５の骨頭部ＭＢ５ｔの部分の不図示の患部を中心に開口するように設けられたものであり、外側開口部１２２の爪先側の端部は、小趾ＦＴ５の位置まで延びている。すなわち、外側開口部１２２は、第５中足骨ＭＢ５の骨頭部ＭＢ５ｔの位置から小趾ＦＴ５の先端まで開口したものである。内側の距離Ｄ１を用いた設計指標と同じように表せば、外側開口部１２２は、第５中足骨ＭＢ５の骨頭部ＭＢ５ｔの位置から小趾ＦＴ５の近位趾節間関節ＩＪ５１の位置までの最短の距離をＤ２とした場合に、第１中足骨ＭＢ１の骨頭部ＭＢ１ｔの位置から距離Ｄ２以上離れた箇所まで開口するように設計されている。なお、外側開口部１２２は、小趾ＦＴ５の途中（例えば、爪の手前）までしか開口していないものであってもよい。より具体的には、小趾ＦＴ５の遠位趾節間関節ＩＪ５２の位置までしか開口していないものであってもよい。
【００３９】
続いて、一対の覆い部材１４の使い方について説明する。
【００４０】
図３は、一対の覆い部材の使い方を段階的に説明した図である。
【００４１】
図３（ａ）に示す靴１は、図２に示す靴１と同じく、内側覆い部材１４１と外側覆い部材１４２それぞれが平らな状態に開かれ、内側開口部１２１も外側開口部１２２も開放された状態にある。この状態で靴１を履く。図３では右足を図示省略する。
【００４２】
図３（ｂ）では、平らな状態に開かれていた内側覆い部材１４１がアッパー部１２に直接被さっている。この図３（ｂ）では、内側覆い部材１４１はアッパー部１２になるべく隙間が生じないように被さっている。すなわち、内側覆い部材１４１は、内側開口部１２１になるべく近い状態で内側開口部１２１の縁部１２１ｅ（図３（ａ）参照）に接し、アッパー部１２との接触面積が最大になるように被さっている。図３（ｂ）では、内側覆い部材１４１に設けられたストレッチ素材１５０を点線で示している。内側開口部１２１はこのストレッチ素材１５０によって覆われている。さらに、内側覆い部材１４１の先端部分１４１ｔ（外側の端部）は、外側開口部１２２もほとんど覆っている。なお、内側覆い部材１４１の先端部分１４１ｔが、外側開口部１２２の全部を覆うようにしてもよい。図３（ｂ）には、内側覆い部材１４１のおもて面に設けられたループ面１４１３が濃い灰色で示されている。また、図３（ａ）及び同図（ｂ）には、外側覆い部材１４２の裏面に設けられたフック面１４２２が薄い灰色で示されている。
【００４３】
図３（ｃ）では、平らな状態に開かれていた外側覆い部材１４２が、アッパー部１２に被さった内側覆い部材１４１に被さっている。外側覆い部材１４２が内側覆い部材１４１に被さることで、内側覆い部材１４１のおもて面のループ面１４１３と外側覆い部材１４２の裏面のフック面１４２２が接着し、内側覆い部材１４１の位置が固定される。この実施形態では、外側覆い部材１４２が内側覆い部材１４１を固定する機能を担っている。外側覆い部材１４２は、内側覆い部材１４１を間に挟んでアッパー部１２に被さっている。この図３（ｃ）では、外側覆い部材１４２は、アッパー部１２に被さった内側覆い部材１４１になるべく隙間が生じないように被さっている。すなわち、外側覆い部材１４２は、内側覆い部材１４１との接触面積が最大になるように被さっている。外側覆い部材１４２は、外側開口部１２２を直接もしくは内側覆い部材１４１の先端部分１４１ｔを間に挟んで覆うとともに、外側覆い部材１４２の先端部分（外側の端部）１４２ｔは、内側開口部１２１も内側覆い部材１４１を間に挟んでほとんど覆っている。図３（ｃ）に示すように、一対の覆い部材１４によって、内側開口部１２１は二重に覆われることが可能であり、外側開口部１２２も二重に覆われることが可能である。
【００４４】
以上図３を用いて説明した一対の覆い部材１４の使い方は、右足の外反母趾がいたって軽症な者での使い方である。患部ＡＦＡが、底部１１の内側の縁１１ｅを越えて内側に突出し（図２参照）、皮下滑液包炎を生じ腫れてしまった患者では、内側覆い部材１４１と内側開口部１２１との間に隙間をもたせて、内側覆い部材１４１をアッパー部１２に被せ、外側覆い部材１４２で固定する。上記隙間の量を調製することで、ストレッチ素材１５０の、患部との接触圧を調整することができる。すなわち、上記隙間の量が大きくなればなるほど上記接触圧は小さくなる。ストレッチ素材１５０を患部から完全に離した状態で、外側覆い部材１４２をその内側覆い部材１４１に被せて内側覆い部材１４１を固定すれば、ストレッチ素材１５０の患部との接触圧は０になる。
【００４５】
また、内反小趾を患っている者の使い方は、外側覆い部材１４２を先にアッパー部１２に被せ、外側覆い部材１４２に設けられたストレッチ素材１５０によって外側開口部１２２を覆い、その外側覆い部材１４２のおもて面のループ面に内側覆い部材１４１の裏面のフック面１４１２を接着させ、外側覆い部材１４２の位置を固定する。
【００４６】
本実施形態の靴１は、外反母趾を患っている者でも内反小趾を患っている者でも使用することができる。
【００４７】
続いて、内側覆い部材１４１を例にあげてストレッチ素材１５０について説明するが、外側覆い部材１４２におけるストレッチ素材１５０についても同様である。
【００４８】
図４は、内側窓部周辺を断面したときの様子を模式的に示す図である。この図４では、図の上方が内側覆い部材１４１のおもて側になり、下方が内側覆い部材１４１の裏面側になる。すなわち、図の下方が患部側になる。
【００４９】
図４（ａ）には、図１に示す靴１における内側覆い部材１４１の内側窓部１４１１周辺の断面図が示されている。
【００５０】
内側覆い部材１４１の基材１４１０は、アッパー部１２の素材と同じ素材であってもよいし、面ファスナーを縫い付けやすい布製であってもよい。図４には、内側覆い部材１４１のおもて面１４１ａに設けられたループ面１４１３が灰色で模式的に示されている。ループ面１４１３は、おもて側から内側窓部１４１１を塞ぐように配置されている。
【００５１】
ストレッチ素材１５０は、内側窓部１４１１を画定する縁を裏面側から取り囲む窓部外周部１４１１ｏに縫い付けられている。したがって、内側窓部１４１１を画定する縁の角１４１１ｅは、露出せずストレッチ素材１５０によって覆われており、この角１４１１ｅが患部に直接触れることはない。
【００５２】
ストレッチ素材１５０は、アッパー部１２を構成する全ての素材よりも伸縮性が高いものである。アッパー部１２が複数の素材で構成されている場合には、それら複数の素材のうちのいずれの素材よりも伸縮性が高いものである。例えば、小学生が使う上履きのように、アッパー部１２の一部にゴム素材が用いられていた場合であっても、ストレッチ素材１５０はそのゴム素材よりも伸縮性が高いものである。すなわち、ストレッチ素材１５０は、アッパー部１２に用いられる従来のゴム素材よりもはるかに伸縮性が高いものであり、厚みにしても、アッパー部１２を構成する全ての素材のうち最も薄い素材の厚みの半分以下の厚みである。このストレッチ素材１５０としては、表裏２枚の生地をスパンデックスのベアヤーンで連結した織物や、１ｍｍ未満の厚さのエトラストマー樹脂を使用した不織布等があげられる。
【００５３】
ストレッチ素材１５０は、その伸縮性により、患部にぴったりと接触し、患部の形状に沿ってその患部を包み込むことができる。アッパー部１２の一部に用いられるゴム素材では伸縮性が全く足りずに患部に少しでも接触すると患者は激しい痛みを覚えるが、ストレッチ素材１５０であれば、患部に接触しても高い伸縮性により抵抗にならず、患部に馴染み、患者に与える痛みは大幅に軽減される。また、ストレッチ素材１５０を患部にぴったりと接触させることで寒さを和らげることができる。
【００５４】
図４（ｂ）は、図４（ａ）に示す内側覆い部材１４１の変形例を示す断面図である。これまで用いた名称と同じ名称の構成要素にはこれまでに付した符号と同じ符号を付して説明する。
【００５５】
図４（ｂ）では、ストレッチ素材１５０は、内側覆い部材１４１の基材１４１０と、ループ面１４１３とに挟み込まれるようにして内側窓部１４１１内に配置されている。この変形例の内側覆い部材１４１では、図４（ａ）に示す内側覆い部材１４１よりも内側窓部１４１１が大きく、内側窓部１４１１を画定する縁の角１４１１ｅが患部に直接触れにくくなっている。この変形例における内側窓部１４１１は、ループ面１４１３によって覆われていない。すなわち、ループ面１４１３は、内側窓部１４１１の位置に内側窓部１４１１の大きさと同じ切り抜き孔１４１３ｈが設けられている。また、この変形例の内側覆い部材１４１には、クッション材１４１４も設けられている。クッション材１４１４の素材としては、ウレタンや、スポンジや、ゴム等があげられる。クッション材１４１４は、脚部１４１４ｈを有するものである。このクッション材１４１４は、内側窓部１４１１からおもて側に、脚部１４１４ｈの長さになる間隔ＳＰをあけた状態でその内側窓部１４１１を覆うものである。すなわち、クッション材１４１４は、患部を覆う位置に設けられたものである。ただし、クッション材１４１４は、ストレッチ素材１５０とは、ループ面１４１３の厚さに上記間隔ＳＰを加えた距離だけ離れている。したがって、ストレッチ素材１５０にぴったりと覆われた患部が大きく腫れていても、その患部はクッション材１４１４に当たりにくい。このクッション材１４１４が設けられた靴を履いて、内側開口部１２１の辺りをぶつけたとしても、クッション材１４１４によって患部が守られる。
【００５６】
なお、クッション材１４１４は、脚部１４１４ｈを省略したものであってもよい。また、外側覆い部材１４２は、クッション材１４１４に被さることができるだけの長さをもったものであってもよいし、外側覆い部材１４２の長さを短くして、クッション材１４１４には届かないものであってもよい。
【００５７】
図５は、第２実施形態の靴を示す平面図である。第１実施形態の靴の説明で用いた名称と同じ名称の構成要素にはこれまでに付した符号と同じ符号を付して説明する。また、第１実施形態の靴との相違点を中心に説明し、第１実施形態の靴と重複する説明は省略する場合がある。なお、図５には、右足用の靴１が示されており、図の左側が内側になり、右側が外側になる。
【００５８】
第１実施形態の靴１では、内側覆い部材１４１も外側覆い部材１４２もそれぞれ、底部１１に縫い付けられたものであり、底部１１から分離することができないものである。一方、第２実施形態の靴１では、一対の覆い部材１４を１枚の覆い部材にし、この１枚の覆い部材は底部１１から分離可能である。
【００５９】
図５（ａ）には、１枚の覆い部材１６が示されている。１枚の覆い部材１６は、内側覆い部１６１と外側覆い部１６２と連結部１６３を有する。内側覆い部１６１の構成は、内側覆い部材１４１の構成と同じであり、外側覆い部１６２の構成は、外側覆い部材１４２の構成と同じであるため、それぞれの説明は省略する。図５（ａ）に示す１枚の覆い部材１６は、内側開口部１２１と外側開口部１２２を挿通したものであり、連結部１６３は、内側開口部１２１と外側開口部１２２の間に位置する。すなわち、連結部１６３は、底部１１の上に位置する。
【００６０】
図５（ｂ）に示すように、１枚の覆い部材１６は、内側に引き抜けば、内側開口部１２１を連結部１６３および外側覆い部１６２が通って、取り外し可能である。なお、１枚の覆い部材１６は、外側に引き抜くことも可能である。上述のごとく、第１実施形態の靴１でも、上記接触圧を０にしたまま、内側開口部１２１または／および外側開口部１２２を覆うこともできるが、一対の覆い部材１４が何かの拍子に患部に触れる恐れはある。患者が、寒さやファッション性よりも覆い部材が患部に触れないことを重要視する場合には、覆い部材１６を取り外してしまうことが、覆い部材１６を患部に触れさせない最も確実な対策になる。
【００６１】
第２実施形態の靴１では、患者が覆い部材１６を取り付けた靴１を履いた状態では、連結部１６３が踏まれた状態になるが、覆い部材１６が、底部１１を構成するうちの最も上側になる中敷きの下に差し込まれた態様であってもよい。
【００６２】
本発明は上述の実施の形態に限られることなく特許請求の範囲に記載した範囲で種々の変更を行うことができる。例えば、内側覆い部材１４１と内側開口部１２１を設け、外側覆い部材１４２と外側開口部１２２を設けない態様であってもよい。この場合には、内側覆い部材１４１の裏面１４１ｂとアッパー部１２が面ファスナーによって接着するようにすればよい。あるいは、外側覆い部材１４２と外側開口部１２２のみを設け、外側覆い部材１４２の裏面１４２ｂとアッパー部１２が面ファスナーによって接着するようにしてもよい。
【００６３】
図６は、外反母趾を患った右足に、内側覆い部材と内側開口部を設け、外側覆い部材と外側開口部を設けない態様の靴を履いた様子を示す平面図である。この図６は、図２と同じように右足裏の骨格が模式的に示されている。以下、図２で用いた符号と同じ符号を付して説明する。
【００６４】
図６に示す靴１は、内側覆い部材１４１が平らな状態に開かれており、その裏面１４１ｂが示されている。内側開口部１２１は開放した状態である。
【００６５】
この図６でも、底部１１の内側の縁１１ｅを越えて内側に突出した、赤く腫れた患部ＡＦＡを黒色で示している。
【００６６】
図６に示す内側開口部１２１は、第１中足骨ＭＢ１の骨頭部ＭＢ１ｔの位置から母趾ＦＴ１の趾節間関節ＩＪ１の位置までの最短の距離をＤ１とした場合、この距離Ｄ１の長さを半径とし、中心を骨頭部ＭＢ１ｔに合わせた円弧で形成されている。この内側開口部１２１は、図２に示す内側開口部１２１よりも開口面積が大きく、第２中足骨ＭＢ２の骨頭部ＭＢ２ｔの位置まで開口しており、母趾ＦＴ１の一部（付け根部分ＢＦ１）も露出するようになっている。なお、内側開口部１２１を、第２中足骨ＭＢ２の骨頭部ＭＢ２ｔの位置まで開口させるのではなく、第１中足骨ＭＢ１と第２中足骨ＭＢ２の間に記した２点鎖線の位置までとしてもよいし、さらに第１中足骨ＭＢ１側までとしてもよい。
【００６７】
また、内側開口部１２１の開口面積が大きくなったことに合わせて、図６に示す内側覆い部材１４１に設けられたストレッチ素材１５０も大きくなっている。図６に示すアッパー部１２の、内側覆い部材１４１が被さる部分はループ面になっており、内側覆い部材１４１における裏面１４１ｂのフック面１４１２と接着する。
【００６８】
図６に示す靴１では、外側覆い部材を省略したが、図２に示す靴１と同じような外側覆い部材１４２を設け、内側開口部１２１を二重に覆えるようにしてもよい。なお、図６に示す靴１に外側覆い部材１４２を設ける場合には、外側覆い部材１４２に、省略した外側開口部を覆うストレッチ素材１５０は不要であるが、内側覆い部材１４１を間において内側開口部１２１に被さる部分にストレッチ素材を設けてもよい。
【００６９】
また、図１に示す靴１では、アッパー部１２の、覆い部材（１４１，１４２）が被さる部分を、フック面とループ面のいずれか一方とし、覆い部材（１４１，１４２）の裏面に、フック面とループ面の他方を設けてもよい。こうすることで、覆い部材（１４１，１４２）の、アッパー部１２への固定が容易になり、患部との接触圧の調整も容易になる。
【００７０】
また、面ファスナーの代わりにボタン止め等の固定手段を用いてもよい。
【００７１】
さらに、左足でも右足でも履くことができる靴であれば、内側と外側の区別をする必要がなくなり、一方の靴には、左側面に開口部とその開口部を覆う左側覆い部材を設け、他方の靴には、右側面に開口部とその開口部を覆う右側覆い部材を設ける。こうすることで、両足の外反母趾にも、両足の内反小趾にも対応させることができる。
【００７２】
加えて、本発明は、ヒール部１３がない履物（サンダルやスリッパ）にも適用可能である。
【００７３】
なお、以上説明した実施形態や変形例や変更例の記載それぞれにのみ含まれている構成要件であっても、その構成要件を、他の実施形態や他の変形例に適用してもよい。
【符号の説明】
【００７４】
１  靴
１１  底部
１２  アッパー部
１２１  内側開口部
１２２  外側開口部
１４，１６  覆い部材
１４１  内側覆い部材
１４１１  内側窓部
１４２  外側覆い部材
１４２１  外側窓部
１６１  内側覆い部
１６２  外側覆い部
１６３  連結部
ＲＦ  右足
ＡＦＡ  患部
【要約】
【課題】足の甲を覆うアッパー部を有する履物に関し、皮下滑液包炎が重傷化した者でも履くことができる履物を提供することを目的とする。
【解決手段】足の甲を覆うアッパー部１２を有する履物１であって、アッパー部１２は、爪先側の側部に開口部１２１，１２２を有するものであり、開口部１２１，１２２を覆い、開口部１２１，１２２に位置する足の部位ＡＦＡへの接触圧を調整可能な覆い部材１４１,１４２を備えたことを特徴とする。
【選択図】図１【図１】
0006916567.tif 000002
【図２】
0006916567.tif 000003
【図３】
0006916567.tif 000004
【図４】
0006916567.tif 000005
【図５】
0006916567.tif 000006
【図６】
0006916567.tif 000007